(57)【要約】  伝送端により、無線フレームを生成するステップであって、無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、無線フレームを送信するステップと、を含む、無線フレーム送信方法が提供される。
2019521562.tif 000002
【特許請求の範囲】
【請求項１】
無線フレーム送信方法であって、
伝送端により、無線フレームを生成するステップであって、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、
前記無線フレームを送信するステップと、
を含む方法。
【請求項２】
前記無線フレームは、ヌル・データ・パケット・アナウンスNDPAフレームまたは802.11ax標準に準拠するデータ構造を有するトリガ・フレームであり、
802.11ax標準に準拠しない受信端が前記ステーション情報フィールドを誤って判定することを防止するために、前記ビットB16j+11の前記値が1に設定される、請求項１に記載の方法。
【請求項３】
各ステーション情報フィールドの前記長さは4 bytesであり、
前記ビットB16j+11の前記値が1に設定されることは、具体的には、前記ステーション情報フィールド内の28番目のビット(すなわち、ビットB27)の値を1に設定することである、請求項１または２に記載の方法。
【請求項４】
802.11ax標準に準拠しない前記受信端が前記ステーション情報フィールド内の３番目のbyteと４番目のbyteの最初の12 bitsを誤って判定することを防止するために、前記ビットB27の前記値が1に設定される、請求項３に記載の方法。
【請求項５】
無線フレーム受信方法であって、
無線フレームを受信するステップであって、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、
前記無線フレームを解析し、前記ビットB16j+11の前記値に従って処理を実行するステップと、
を含む方法。
【請求項６】
前記無線フレームは、ヌル・データ・パケット・アナウンスNDPAフレームまたは802.11ax標準に準拠するデータ構造を有するトリガ・フレームであり、
802.11ax標準に準拠しない受信端が前記ステーション情報フィールドを誤って判定することを防止するために、前記ビットB16j+11の前記値が1に設定される、請求項５に記載の方法。
【請求項７】
各ステーション情報フィールドの前記長さは4 bytesであり、
前記ビットB16j+11の前記値が1に設定されることは、具体的には、前記ステーション情報フィールド内の28番目のビット(すなわち、ビットB27)の値を1に設定することである、請求項５または６に記載の方法。
【請求項８】
802.11ax標準に準拠しない前記受信端が前記ステーション情報フィールド内の３番目のbyteと４番目のbyteの最初の12 bitsを誤って判定することを防止するために、前記ビットB27の前記値が1に設定される、請求項７に記載の方法。
【請求項９】
データ伝送装置であって、
無線フレームを生成するように構成されたモジュールであって、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、モジュールと、
前記無線フレームを送信するように構成されたモジュールと、
を含む装置。
【請求項１０】
前記無線フレームは、ヌル・データ・パケット・アナウンスNDPAフレームまたは802.11ax標準に準拠するデータ構造を有するトリガ・フレームであり、
802.11ax標準に準拠しない受信端が前記ステーション情報フィールドを誤って判定することを防止するために、前記ビットB16j+11の前記値が1に設定される、請求項９に記載の装置。
【請求項１１】
各ステーション情報フィールドの前記長さは4 bytesであり、
前記ビットB16j+11の前記値が1に設定されることは、具体的には、前記ステーション情報フィールド内の28番目のビット(すなわち、ビットB27)の値を1に設定することである、請求項９または１０に記載の装置。
【請求項１２】
802.11ax標準に準拠しない前記受信端が前記ステーション情報フィールド内の３番目と４番目のbytesの最初の12 bitsを誤って判定することを防止するために、前記ビットB27の前記値が1に設定される、請求項１１に記載の装置。
【請求項１３】
無線フレーム受信装置であって、
無線フレームを受信するように構成されたモジュールを含み、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1であり、
前記モジュールは、前記無線フレームを解析し、前記ビットB16j+11の前記値に従って処理を実行するように構成された、装置。
【請求項１４】
前記無線フレームは、ヌル・データ・パケット・アナウンスNDPAフレームまたは802.11ax標準に準拠するデータ構造を有するトリガ・フレームであり、
802.11ax標準に準拠しない受信端が前記ステーション情報フィールドを誤って判定することを防止するために、前記ビットB16j+11の前記値が1に設定される、請求項１３に記載の装置。
【請求項１５】
各ステーション情報フィールドの前記長さは4 bytesであり、
前記ビットB16j+11の前記値が1に設定されることは、具体的には、前記ステーション情報フィールド内の28番目のビット(すなわち、ビットB27)の値を1に設定することである、請求項１３または１４に記載の装置。
【請求項１６】
802.11ax標準に準拠しない前記受信端が前記ステーション情報フィールド内の３番目のbyteと４番目のbyteの最初の12 bitsを誤って判定することを防止するために、前記ビットB27の前記値が1に設定される、請求項７に記載の装置。
【発明の詳細な説明】
【技術分野】
【０００１】
この出願は、2016年5月10日に中国特許庁に出願され、発明の名称を「無線フレーム送信および受信方法および装置」とする、中国特許出願第201610305870.9号の優先権を主張し、これはその全体が参照によりここに組み込まれる。
【０００２】
本発明の実施形態は、通信技術、詳細には、無線フレーム送信および受信方法および装置に関する。
【背景技術】
【０００３】
OFDM(Orthogonal Frequency Division Multiplexing, 直交周波数分割多重)は、現在の無線通信における基本的な伝送方式であり、LTE、WiMAX、およびWiFiのような無線通信システムに広く適用されている。加えて、OFDMは、固定されたネットワーク伝送、例えば、ファイバー、銅撚り線、およびケーブルのような伝送方式にさらに適用されている。OFDMの基本的な原理は次の通りである。サブキャリア間隔は、サブキャリアの直交性の許容可能な範囲内で最小に圧縮される。一方で、これは、互いに干渉しない複数の並列な経路が形成されることを保証することができ、他方で、これは、システムの周波数利用効率を改善することができる。
【０００４】
さらに、OFDMは上記の特性を有するので、互いに干渉しないOFDMのサブキャリアが複数のユーザに割り当てられるならば、複数のユーザのアクセスまたはデータ伝送が、OFDMを使用することによって実現されることができる。これは、OFDMA(Orthogonal Frequency Division Multiple Access, 直交周波数分割多元接続)と呼ばれる。OFDMA方式において、データ送信は、伝送端が、受信端に対応するサブキャリア／サブチャネルと関連付けされた複数の受信端に、サブキャリア／サブチャネルを使用することによって受信端のデータを送信することを意味する。OFDMA送信方式において、サブキャリア／サブチャネルにおけるデータは、同期して送信される必要がある。ユーザのデータは、同期送信の間、ユーザのサブキャリア／サブチャネルを使用することによって直交を維持する。OFDMAは同時伝送を実行するために複数のユーザを柔軟にかつ好都合にスケジュールすることができ、これはマルチユーザの多様な効果を実現するためにOFDMAを使用することを助ける。加えて、OFDMAは複数の別個のサブチャネルを好都合にサポートすることができ、従って、OFDMAは空きの周波数帯域をより有効に使用することができる。
【０００５】
同様に、並列チャネルを使用することによってマルチユーザ伝送をサポートする方式のように、MU-MIMO(Multiple User-Multiple Input Multiple Output, マルチユーザ多入力多出力)は、並列チャネルを実現するために空間的な次元を使用し、伝送方法として複数のユーザに提供される。しかし、この方式において、伝送端(ダウンリンク, DL MU-MIMO)または受信端(アップリンク, UL MU-MIMIO)は全てまたはいくつかのチャネル情報を有する必要があり、そうでなければ、受信端は復調によって複数の有効な信号を正しく取得することができず、その結果、伝送は失敗する。DL MU-MIMOについて、伝送端は伝送ビームを形成するためにチャネル状態情報(Channel State Information, CSI)を使用し、複数の空間的なフローが伝送端において区別される。UL MU-MIMOについて、受信端は受信ビームを形成するためにチャネル状態情報を使用する必要があり、複数の空間的なフローが受信端において区別される。特に、DL MU-MIMOについて、伝送端がチャネル状態情報を取得することができるために、複数の受信端がチャネルを推定し、推定されたチャネル状態情報を伝送端にフィードバックするように、伝送端はトレーニング・シーケンスを送信する必要がある。
【０００６】
他方で、WLAN(Wireless LAN)のシーケンス特性はフレーム(frame)単位でのデータ伝送方法である。すなわち、高度に効率的な伝送を実現するように、OFDMAの特性を十分に活用することができるフレーム構造が要求される。
【発明の概要】
【課題を解決するための手段】
【０００７】
本発明の実施形態は、先行技術における欠点を克服し、無線フレーム通信の効率を改善するために、無線フレーム伝送方法を提供する。
【０００８】
一態様は、伝送端により、無線フレームを生成するステップであって、無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、無線フレームを送信するステップと、を含む、無線フレーム送信方法を提供する。
【０００９】
同様に、他の態様において、無線フレーム送信方法は、
伝送端により、無線フレームを生成するステップであって、無線フレームは１つ以上のステーション情報フィールド(STA info fields)を含み、各ステーション情報フィールドの長さは2K bytesであり、ここでKは1, 2, 3, ...のような自然数であり、各ステーション情報フィールド内のビットB16jの値は1に設定され、ここでj=1, 2, 3, ..., K-1である、ステップと、
無線フレームを送信するステップと、を含む。
【００１０】
これに対応して、無線フレームを受信するステップであって、無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、
無線フレームを解析し、ビットB16j+11の値に従って処理を実行するステップと、
を含む、無線フレーム受信方法が提供される。
【００１１】
同様に、無線フレーム受信方法は、
無線フレームを受信するステップであって、無線フレームは１つ以上のステーション情報フィールド(STA info fields)を含み、各ステーション情報フィールドの長さは2K bytesであり、ここでKは1, 2, 3, ...のような自然数であり、各ステーション情報フィールド内のビットB16jの値は1に設定され、ここでj=1, 2, 3, ..., K-1である、ステップと、
無線フレームを解析し、ビットB16jの値に従って処理を実行するステップと、を含む。
【００１２】
本発明の実施形態は、これに対応して、チップ、ステーション、またはアクセス・ポイントのような、上記の方法を実現するための装置をさらに提供する。
【００１３】
本発明の実施形態における、または先行技術における技術的解決策をより明確に説明するために、下記は、実施形態または先行技術を説明するために要求される添付図面を簡単に説明する。明らかに、下記の説明における添付図面は、本発明のいくつかの実施形態を表わし、この技術分野の当業者は、創作的努力なしでこれらの添付図面から他の図面を依然として導き出し得る。
【図面の簡単な説明】
【００１４】
【図１】本発明の実施形態によるシステムの概略アーキテクチャ図である。
【図２】複数のユーザのチャネル状態情報をフィードバックするプロセスの単純な概略図である。
【図３】NDPAフレームのフォーマットの単純な概略図である。
【図４】アップリンクOFDMA/MU-MIMO伝送プロセスの単純な概略図である。
【図５】NDPAフレームの好ましいフォーマットの単純な概略図である。
【図６】NDPAフレームの好ましいフォーマットの単純な概略図である。
【図７】NDPAフレームの好ましいフォーマットの単純な概略図である。
【図８】NDPAフレームの好ましいフォーマットの単純な概略図である。
【図９】NDPAフレームの好ましいフォーマットの単純な概略図である。
【図１０】トリガ・フレームの好ましいフォーマットの単純な概略図である。
【図１１】本発明の実施形態を実現するための装置の別々の単純な概略図である。
【図１２】本発明の実施形態を実現するための装置の別々の単純な概略図である。
【発明を実施するための形態】
【００１５】
本発明の実施形態の目的、技術的解決策、および利点をより明確にするために、下記は、本発明の実施形態における添付図面を参照して、本発明の実施形態における技術的解決策を明確かつ完全に説明する。明らかに、説明される実施形態は、本発明の実施形態のいくつかであるが全てではない。創作的努力なしで本発明の実施形態に基づいてこの技術分野の当業者によって得られる他の全ての実施形態は、本発明の保護範囲内にあるものである。
【００１６】
略語／頭字語およびキー用語の定義：
L-XXX      Legacy XXX Field        レガシーXXXフィールド
SISO        Single Input Single Output    単入力単出力
OFDM      Orthogonal Frequency Division Multiplexing    直交周波数分割多重
WLAN      Wireless Local Area Networks      無線ローカル・エリア・ネットワーク
CP          Cyclic prefixing            サイクリック・プレフィックス
STF        Short Training Field        ショート・トレーニング・フィールド
LTF        Long Training Field        ロング・トレーニング・フィールド
SIG        Signal Field                信号フィールド
VHT        Very High Throughput      超高スループット
HE          Highly efficient            高効率
PHY        Physical                  物理(レイヤ)
MAC        Medium Access Control    媒体アクセス制御(レイヤ)
MCS        Modulation and Coding Scheme  変調および符号化方式
SINR        Signal to Interference Noise Ratio  信号対干渉および雑音比
BCC        Binary Convolution Code      バイナリ畳み込み符号
CRC        Cyclic Redundancy Code      巡回冗長符号
STA        Stations                    ステーション
AP        Access Point                  アクセス・ポイント
MU-MIMO  Multi-User Multiple Input Multiple Output    マルチユーザ多入力多出力
GID/Group ID  Group Identification        グループ識別子
OFDMA    Orthogonal Frequency Division Multiple Access    直交周波数分割多元接続
WLAN      Wireless Local Area Network  無線ローカル・エリア・ネットワーク
NSTS        Number of Space-Time Stream  空間時間ストリームの数
STBC        Space Time Block Coding    空間時間ブロック符号化
BF          Beamforming              ビームフォーミング
LDPC        Low Density Parity Check  低密度パリティ検査コード
DL          Downlink                  ダウンリンク
UL          Uplink                    アップリンク
SIFS        Short Inter-Frame Space      ショート・フレーム間スペース
NDP        Null Data Packet            ヌル・データ・パケット
NDPA      Null Data Packet Announcement  ヌル・データ・パケット・アナウンス
BF          Beamforming              ビームフォーミング
【００１７】
図１に表わされたように、図１は、無線ローカル・エリア・ネットワークWLANの単純な概略構造図である。WLANは、アクセス・ステーションまたはアクセス・ポイント101、および１つ以上のステーション102を含む。図２を参照すると、図２は、複数のユーザのチャネル状態情報をフィードバックするプロセスの単純な概略図である。APはNDPA(Null Data Packet Announcement, ヌル・データ・パケット・アナウンス)およびNDP(Null Data Packet, ヌル・データ・パケット)を連続的に送信する。受信端は、NDPAの表示およびNDPのLTF(Long training field, ロング・トレーニング・フィールド)に従ってチャネル状態情報を推定し、ビームフォーミング・レポート(Beamforming Report, BF Report)フレームを生成し、推定されたチャネル状態情報をAP(Access Point, アクセス・ポイント)にフィードバックする。フィードバック・プロセスにおいて、APは、これらのSTAからBF Reportを取得するために、ビームフォーミング・レポート・ポール(BF Report Poll)フレームを送信してNDPA内で示されるSTA(Station, ステーション)に一つずつ問い合わせる。この一つずつの問い合わせ方法は、比較的大きいオーバーヘッドを引き起こす。加えて、NDPAフレームの既存のフォーマットが図３に表わされている。
【００１８】
オーバーヘッドを減少させるために、図４に表わされたように、図４は、アップリンクOFDMA/MU-MIMO伝送プロセスの単純な概略図である。複数のユーザのBF Reportの並列の伝送を実現するために、UL OFDMAがプロセスに導入される。しかし、UL OFDMAは、アップリンク・リソース割り当てのような情報の同期および表示を実現するためにトリガ・フレーム(Trigger Frame)を要求する。
【００１９】
OFDMAの特性は次世代の標準、すなわち、802.11axに導入され、STAは、全体の帯域幅において部分的なチャネルの情報を測定する必要があり得る。従って、APは、STAが測定する必要がある帯域幅情報をNDPAフレーム内に示してもよく、情報のこの部分は追加のビットによって示されてもよい。しかし、現在のVHT NDPAフレーム内のユーザ情報部分は16 bitsのみを有し、16 bits全てが有用な情報を搬送する。従って、802.11ax標準において、802.11ax標準に準拠する(HE NDPAフレームのような)無線フレームは、OFDMAの特性を使用することによって、高度に効率的な伝送を実現する必要がある。
【００２０】
本発明の実施形態は、
伝送端により、無線フレームを生成するステップであって、無線フレームは１つ以上のステーション情報フィールドSTA info fieldsを含み、各ステーション情報フィールドの長さは2K bytesであり、ここでKは1, 2, 3, ...のような自然数であり、各ステーション情報フィールド内のビットB16j+11の値は1に設定され、ここでj=1, 2, 3, ..., K-1である、ステップと、
無線フレームを送信するステップと、を含む無線フレーム送信方法を提供する。実施形態において、ステーション情報フィールド内の最上位ビットは右側にある。
【００２１】
他の同様な解決策において、ステーション情報フィールド内の最上位ビットは左側にあってもよい。この場合、同様に、
伝送端により、無線フレームを生成するステップであって、無線フレームは
１つ以上のステーション情報フィールドSTA info fieldsを含み、各ステーション情報フィールドの長さは2K bytesであり、ここでKは1, 2, 3, ...のような自然数であり、各ステーション情報フィールド内のビットB16jの値は1に設定され、ここでj=1, 2, 3, ..., K-1である、ステップと、
無線フレームを送信するステップと、を含む、無線フレーム送信方法が提供される。
【００２２】
特定の例において、無線フレームはNDPAフレームまたはトリガ・フレームであり、特に、802.11ax標準に準拠するデータ構造を有するNDPAフレームまたはトリガ・フレームである。例えば、NDPAフレームまたはトリガ・フレームは、HE NDPAまたはHE triggerと呼ばれてもよい。
【００２３】
上記のフレーム構造を使用することによって、受信側において、無線フレームを受信した後、802.11ax標準に準拠するステーションは、無線フレームを解析し、続く処理を実行する。802.11ax標準に準拠しないVHT STAのようなステーションについて、ステーションは各STA info fieldにデフォルトで2 bytesを設定する。ステーションは、まず、AID12情報フィールドを読み取り、読み取られた値がステーションのAIDと合致しないならば、次の2 bytesを読み取ることを続ける。ステーションは、読み取られた値がステーションのAIDと合致するまで、ステーションに送信された情報を続く4 bitsから取得しない。フレームを解析するとき、VHT STAは、ビットB16j+11の値またはビットB16jの値に基づいて、STA info fieldがVHT STAの関連する情報を搬送しないと判定することが可能である。すなわち、上記の位置におけるビットが1であることの表示によって、VHT STAは、STA info fieldがVHT STAの情報を搬送しないと判定する。従って、VHT STAは、もはやSTA info fieldを処理し続けなくてもよい。(これは下記の例において詳細に説明される。)
【００２４】
詳細な説明のために下記で例としてHE NDPAが使用される。
【００２５】
例１：
【００２６】
伝送端はHE NDPAフレームを生成する。HE NDPAフレームはn個のSTA info fieldsを含み、nは自然数である。各STA info fieldは３つのフィールド、すなわち、アソシエーション識別子フィールド(AID12)、フィードバック・タイプ・フィールド(Feedback Type)、および列数インデックス・フィールド(Nc index)を含み、または搬送し、他のフィールド、例えば、行数インデックス・フィールド(Nr index)、codebook informationフィールド、グループ内サブキャリア数フィールド(grouping Ng)、および部分的帯域幅情報フィールド(partial BW info)のようなフィールドの１つまたは任意の組み合わせをさらに含み、または搬送してもよい。
【００２７】
図５を参照すると、図５はHE NDPAフレームの単純な概略図である。図５内の例におけるHE NDPAフレームの各STA info fieldは4 bytesである。説明の容易さのために、各STA info field内の３番目および４番目のbyteの始めの12 bitsは第１の情報フィールドと名付けられる。具体的には、第１の情報フィールドの最上位ビットにおける値は1に設定され、すなわち、(最上位ビットが右側にあるとき)各STA info fieldの28番目のビット(またはB27と呼ばれる)は1に設定される。最上位ビットが左側にあるとき、第１の情報フィールドの最上位ビットは17番目のビット(B16)である。第１の情報フィールド内の残りの11 bitsは、Nr indexフィールド、codebook informationフィールド、grouping Ngフィールド、またはpartial BW infoフィールドの中の１つ以上のタイプの情報のような、他の情報を搬送してもよい。
【００２８】
VHT STAがHE NDPAフレームを受信し、解析するとき、VHT STAは、論理的に、第１の情報フィールドをAID12 fieldとして予期する。しかし、本発明のこの実施形態において、第１の情報フィールド内の最上位ビット(Maximum Significant Bit, MSB)は1に設定される。このようにして、VHT STAが第１の情報フィールドを解析するとき、第１の情報フィールドの値は2048以上である。しかし、VHT STAについてのAIDの値の制限は1から2007以内であるべきである。従って、それは、第１の情報フィールドがAID12 fieldでないことをVHT STAに黙示的に示し、VHT STAは情報を処理し続ける必要がなく、それによりVHT STAによって誤って判定することを防止する。
【００２９】
加えて、各STA info field内のAID12情報フィールド内の最上位ビットは0または1に設定されてもよい。最上位ビットが0に設定されるとき、それは、STA info fieldが、2 bytesであるVHT NDPA内のSTA info fieldと同じであることを示す。AID12情報フィールドの最上位ビットが1に設定されるとき、それは、STA info fieldが802.11ax標準において指定されたTA info fieldの長さを有することを示し、例えば、長さは、本発明のこの実施形態において4 bytesである。図６に表わされたように、ビットはVHT/HEフィールドと呼ばれてもよい。
【００３０】
上述したVHT/HEフィールドは、STA info field内に含まれなくてもよいが、無線フレームの共通情報部分(STA info fieldが共通情報部分と呼ばれる前の全ての部分)内にある。図７に表わされたように、好ましくは、VHT/HEフィールドはSounding Dialog Token内のreservedフィールド内にあってもよい。
【００３１】
B27が恒久的に1に設定されるので、HE NDPAフレーム内で搬送されるユーザ情報はB27以外、すなわち、B0からB26およびB28からB31の位置にあるべきである。
【００３２】
他の実施形態において、VHT/HEフィールドの値に関係なく、STA info fieldの長さは4 bytesである。
【００３３】
受信機がHE NDPAフレームを受信するとき、受信機がVHT STAであるならば、VHT STAはデフォルトで各STA info fieldを2 bytesとして受け取るので、VHT STAは、まずAID12情報フィールドを解析し、解析された値がVHT STAのAIDと合致しないならば、次の2 bytesを解析し続ける。VHT STAは、解析された値がVHT STAのAIDと合致するまで、VHT STAに送信された情報を続く4ビットから取得しない。
【００３４】
受信機がHE STAであるならば、VHT/HEフィールドの値が0であるとき、HE STAはVHT STAの受信処理に従って受信を実行する。VHT/HEフィールドの値が1であるとき、HE STAは4 bytes単位で解析を実行する。HE STAは、まずAID12情報フィールドを解析し、読み取られた値がHE STAのAIDと合致しないならば、次の4 bytesを解析し続ける。HE STAは、解析された値がHE STAのAIDと合致するまで、HE STAに送信された情報を、続く20ビット内のB27以外の19ビットから取得しない。任意選択で、B27の値が0であることをHE STAが見つけたならば、受信機は、情報を受信することを停止し、NDPAフレームを破棄する。
【００３５】
例２：
【００３６】
例１において、HE NDPAフレームのSTA info fieldは4 bytesを含む。これとは異なり、この例において、HE NDPAフレームのSTA info fieldは6 bytes、8 bytes、10 bytes、または同様のものを含んでもよい。例１と同様に、この例において、最初の2 bytesを除いて、2 bytesおきに、始めの12 bitsのMSBは1に設定される。
【００３７】
図８に表わされたように、例えば、STA info fieldが6 bytesを含むとき、STA info field内のB27とB43は1に設定される。一例におけるVHT/HEフィールドは共通情報部分内のreservedフィールド内にある。加えて、最上位ビットが左側にあるとき、B16とB32は1に設定される。
【００３８】
受信機がHE NDPAフレームを受信するとき、受信機がVHT STAであるならば、受信機は各STA info fieldが2 bytesであるとみなす。VHT STAは、まずAID12情報フィールドを解析し、解析された値がVHT STAのAIDと合致しないならば、次の2 bytesを解析し続ける。VHT STAは、解析された値がVHT STAのAIDと合致するまで、VHT STAに送信された情報を、続く4ビットから取得しない。受信機がHE STAであるならば、VHT/HEフィールドの値が0であるとき、HE STAは、VHT STAの受信処理に従って受信を実行する。VHT/HEフィールドの値が1であるとき、HE STAは6 bytes単位で解析を実行する。HE STAは、まずAID12情報フィールドを解析し、解析された値が受信機のAIDと合致しないならば、次の6 bytesを解析し続ける。HE STAは、解析された値がHE STAのAIDと合致するまで、HE STAに送信された情報を、続く36ビット内のB27およびB43以外の34ビットから取得しない。任意選択で、B27またはB43の値が0であることをHE STAが見つけたならば、HE STAは、情報を受信することを停止し、NDPAフレームを破棄する。
【００３９】
例３：
【００４０】
例１と例２の間の差異は、HE NDPAフレームのSTA info fieldの定義された長さが異なることにある。しかし、例３と比較すると、例１と例２におけるSTA info fieldは固定された長さを有する。例３において、可変の長さを有するHE NDPAフレームが提供される。HE NDPAフレームのSTA info fieldは変更可能であり、4 bytes、6 bytes、8 bytes、10 bytes、または同様のものであってもよい。受信端がSTA info fieldの長さを取得するために、HE NDPAフレームは、STA info fieldの長さを示すために、第１の表示情報を搬送してもよい。第１の表示情報は全てのSTA info fieldsの前に配置されるべきである。実施形態において、第１の表示情報は、sounding dialog token内のreservedフィールド内にあってもよい。より特定の実施形態において、reservedフィールド内の1 bitは第１の表示情報を搬送するために使用される。1 bitの値が0であるとき、それは、STA info fieldの長さが4 bytesであることを示す。1 bitの値が1であるとき、それはSTA info fieldの長さは6 bytesであることを示す。図９に表わされたように、図９内のlengthフィールドは第１の表示情報である。
【００４１】
第１の表示情報(すなわち、STA info fieldの長さ)は、AID12フィールド内のVHT/HEフィールド(図６を参照されたい)の値がHEである(具体的には、ビット値は1であり、またはビット値は0である)ときのSTA info fieldの長さであることが留意されるべきである。
【００４２】
他の実施形態において、VHT/HEフィールドの値に関係なく、第１の表示情報はSTA info fieldの長さを示す。
【００４３】
もちろん、上記の実施形態におけるフレームは、NDPAフレームに限定されないが、NDPAフレーム以外の他のフレームであってもよい。他のフレームは次の特性を有する。他のフレームは共通情報部分およびユーザ情報部分を含み、AIDフィールドは各ユーザ情報部分内の最初のフィールドである。図１０に表わされたように、トリガ・フレーム(trigger frame, TF)は他のフレームのタイプである。
【００４４】
上記の方法は、また、トリガ・フレーム内で使用されてもよく、トリガ・フレーム内のSTA info fieldの長さは異なる。例えば、STA info fieldが拡張前のM bytesを含むならば、そしてSTA info fieldがMK bytes(K=1, 2, 3, …)に拡張される必要があるならば、STA info field内のビットB(8Mj+11)は1に設定されてもよい(j=1, 2, 3, …, K-1)。
【００４５】
本発明は、上記の方法(送信方法および受信方法を含む)を実行し得るデータ伝送装置をさらに提供する。
【００４６】
図１１は、本発明の実施形態による無線ローカル・エリア・ネットワーク・データを伝送するための装置である。図１１を参照すると、装置は、無線ローカル・エリア・ネットワーク・データを送信するための方法または無線ローカル・エリア・ネットワーク・データを受信するための方法を実行するように構成された、送信機1001、受信機1002、メモリ1003、およびプロセッサ1004を含む。装置は、伝送側で使用され、
無線フレームを構築または生成するように構成されたプロセッサ1004であって、無線フレームは少なくとも上記の実施形態において述べた構造にある、プロセッサ1004と、
APと関連付けされたステーションSTAに無線フレームを送信するように構成された送信機1001と、を含む。
【００４７】
その代わりに、装置は、受信側で使用され、受信機1002を含む。受信機1002は、上記の実施形態における無線フレームを受信するように構成される。プロセッサは、無線フレームを解析するように構成される。無線フレームの詳細な処理について、上記の実施形態を参照されたい。詳細は再度ここで説明されない。
【００４８】
図１２は、(図中のいくつかの構成要素は任意選択である、アクセス・ポイント、ステーション、またはチップのような)本発明の実施形態によるデータ伝送装置の概略構造図の例である。図１２に表わされたように、データ伝送装置1200は、一般のバス・アーキテクチャとしてバス1201を使用することによって実現されてもよい。特定のアプリケーションおよびデータ伝送装置1200の全体の設計における制約に従って、バス1201は任意の数の相互接続バスおよびブリッジを含んでもよい。バス1201は、様々な回路を一緒に接続し、これらの回路は、プロセッサ1202、記憶媒体1203、およびバス・インタフェース1204を含む。データ伝送装置1200は、バス1201によってネットワーク・アダプタ1205および同様のものと接続するためにバス・インタフェース1204を使用する。ネットワーク・アダプタ1205は、無線ローカル・エリア・ネットワーク内の物理レイヤの信号処理機能を実現し、アンテナ1207を使用することによって無線周波数信号を送信および受信するように構成されてもよい。ユーザ・インタフェース1206は、キーボード、ディスプレイ、マウス、またはジョイスティックのような、ユーザ端末に接続してもよい。バス1201は、タイミング・ソース、周辺デバイス、電圧レギュレータ、および電力管理回路のような、様々な他の回路にさらに接続してもよい。これらの回路は、この技術分野においてよく知られ、ここで詳細に説明されない。
【００４９】
データ伝送装置1200は、また、一般の処理システムとして構成されてもよい。一般の処理システムは、プロセッサ機能を提供する１つ以上のマイクロプロセッサ、および記憶媒体1203の少なくとも一部を提供する外部メモリを含む。これら全ては、外部バス・アーキテクチャを使用することによって他のサポート回路に接続される。
【００５０】
その代わりに、データ伝送装置1200は、プロセッサ1202、バス・インタフェース1204、およびユーザ・インタフェース1206を有するASIC(特定用途向け集積回路)を使用することによって、またはシングル・チップに統合された記憶媒体1203の少なくとも一部を使用することによって実現されてもよく、またはデータ伝送装置1200は、１つ以上のFPGA(フィールド・プログラマブル・ゲート・アレイ)、PLD(プログラマブル論理デバイス)、コントローラ、状態機械、ゲート・ロジック、別個のハードウェア構成要素、任意の他の適切な回路、本発明において説明された機能を実行することが可能な回路、またはそれらの任意の組み合わせを使用することによって実現されてもよい。
【００５１】
プロセッサ1202は、バスおよび一般の処理(記憶媒体1203内に記憶されたソフトウェアを実行することを含む)を管理する責任を持つ。プロセッサ1202は、１つ以上の汎用プロセッサおよび／または専用プロセッサを使用することによって実現されてもよい。プロセッサの例は、マイクロプロセッサ、マイクロコントローラ、DSPプロセッサ、およびソフトウェアを実行することが可能な他の回路を含む。ソフトウェアが、ソフトウェア、ファームウェア、ミドルウェア、マイクロコード、ハードウェア記述言語、または他のものと呼ばれるかどうかに関係なく、ソフトウェアは、命令、データ、またはそれらの組み合わせの表現として広く解釈されるべきである。
【００５２】
図１１は、記憶媒体1203がプロセッサ1202から分離されることを表わす。しかし、この技術分野の当業者は、記憶媒体1203またはその任意の部分がデータ伝送装置1200の外部に配置されてもよいことを容易に理解する。例えば、記憶媒体1203は、伝送ワイヤ、データを使用することによって変調される搬送波形、および／または無線ノードから分離されたコンピュータ製品を含んでもよい。これらの媒体は、バス・インタフェース1204を使用することによって、プロセッサ1202によってアクセス可能である。その代わりに、記憶媒体1203またはその任意の部分は、プロセッサ1202に統合されてもよく、例えば、ケーブルおよび／または汎用レジスタであってもよい。
【００５３】
プロセッサ1202は上記の実施形態を実現することができ、詳細はここで説明されない。
【００５４】
方法の実施形態のステップの全てまたはいくつかが、関連するハードウェアに命令するプログラムによって実現されてもよいことをこの技術分野の当業者は理解し得る。プログラムはコンピュータ読み取り可能な記憶媒体内に記憶されてもよい。プログラムが動作するとき、方法の実施形態のステップが実行される。上記の記憶媒体は、ROM、RAM、磁気ディスク、または光ディスクのような、プログラム・コードを記憶することができる任意の媒体を含む。
【符号の説明】
【００５５】
101  アクセス・ポイント
102  ステーション
1001  送信機
1002  受信機
1003  メモリ
1004  プロセッサ
1200  データ伝送装置
1201  バス
1202  プロセッサ
1203  記憶媒体
1204  バス・インタフェース
1205  ネットワーク・アダプタ
1206  ユーザ・インタフェース
1207  アンテナ
【図１】
2019521562.tif 000003
【図２】
2019521562.tif 000004
【図３】
2019521562.tif 000005
【図４】
2019521562.tif 000006
【図５】
2019521562.tif 000007
【図６】
2019521562.tif 000008
【図７】
2019521562.tif 000009
【図８】
2019521562.tif 000010
【図９】
2019521562.tif 000011
【図１０】
2019521562.tif 000012
【図１１】
2019521562.tif 000013
【図１２】
2019521562.tif 000014
【手続補正書】
【提出日】平成30年12月18日(2018.12.18)
【手続補正１】
【補正対象書類名】明細書
【補正対象項目名】００１５
【補正方法】変更
【補正の内容】
【００１５】
本発明の実施形態の目的、技術的解決策、および利点をより明確にするために、下記は、本発明の実施形態における添付図面を参照して、本発明の実施形態における技術的解決策を明確に説明する。明らかに、説明される実施形態は、本発明の実施形態のいくつかであるが全てではない。創作的努力なしで本発明の実施形態に基づいてこの技術分野の当業者によって得られる他の全ての実施形態は、本発明の保護範囲内にあるものである。
【手続補正２】
【補正対象書類名】明細書
【補正対象項目名】００２０
【補正方法】変更
【補正の内容】
【００２０】
本発明の実施形態は、
伝送端により、無線フレームを生成するステップであって、無線フレームは１つ以上のステーション情報フィールド、STA info fieldsを含み、各ステーション情報フィールドの長さは2K bytesであり、ここでKは1, 2, 3, ...のような自然数であり、各ステーション情報フィールド内のビットB16j+11の値は1に設定され、ここでj=1, 2, 3, ..., K-1である、ステップと、
無線フレームを送信するステップと、を含む無線フレーム送信方法を提供する。実施形態において、ステーション情報フィールド内の最上位ビットは右側にある。
【手続補正３】
【補正対象書類名】明細書
【補正対象項目名】００２１
【補正方法】変更
【補正の内容】
【００２１】
他の同様な解決策において、ステーション情報フィールド内の最上位ビットは左側にあってもよい。この場合、同様に、
伝送端により、無線フレームを生成するステップであって、無線フレームは
１つ以上のステーション情報フィールド、STA info fieldsを含み、各ステーション情報フィールドの長さは2K bytesであり、ここでKは1, 2, 3, ...のような自然数であり、各ステーション情報フィールド内のビットB16jの値は1に設定され、ここでj=1, 2, 3, ..., K-1である、ステップと、
無線フレームを送信するステップと、を含む、無線フレーム送信方法が提供される。
【手続補正４】
【補正対象書類名】特許請求の範囲
【補正対象項目名】全文
【補正方法】変更
【補正の内容】
【特許請求の範囲】
【請求項１】
無線フレーム送信方法であって、
伝送端により、無線フレームを生成するステップであって、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、
前記無線フレームを送信するステップと、
を含む方法。
【請求項２】
前記無線フレームは、ヌル・データ・パケット・アナウンスNDPAフレームであり、
802.11ax標準に準拠しない受信端が前記ステーション情報フィールドを誤って判定することを防止するために、前記ビットB16j+11の前記値が1に設定される、請求項１に記載の方法。
【請求項３】
各ステーション情報フィールドの前記長さは4 bytesであり、
前記ビットB16j+11の前記値が1に設定されることは、具体的には、前記ステーション情報フィールド内の28番目のビット、ビットB27、の値を1に設定することである、請求項１または２に記載の方法。
【請求項４】
802.11ax標準に準拠しない前記受信端が前記ステーション情報フィールド内の３番目のbyteと４番目のbyteの最初の12 bitsを誤って判定することを防止するために、前記ビットB27の前記値が1に設定される、請求項３に記載の方法。
【請求項５】
無線フレーム受信方法であって、
無線フレームを受信するステップであって、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、ステップと、
前記無線フレームを解析し、前記ビットB16j+11の前記値に従って処理を実行するステップと、
を含む方法。
【請求項６】
前記無線フレームは、ヌル・データ・パケット・アナウンスNDPAフレームであり、
802.11ax標準に準拠しない受信端が前記ステーション情報フィールドを誤って判定することを防止するために、前記ビットB16j+11の前記値が1に設定される、請求項５に記載の方法。
【請求項７】
各ステーション情報フィールドの前記長さは4 bytesであり、
前記ビットB16j+11の前記値が1に設定されることは、具体的には、前記ステーション情報フィールド内の28番目のビット、ビットB27、の値を1に設定することである、請求項５または６に記載の方法。
【請求項８】
802.11ax標準に準拠しない前記受信端が前記ステーション情報フィールド内の３番目のbyteと４番目のbyteの最初の12 bitsを誤って判定することを防止するために、前記ビットB27の前記値が1に設定される、請求項７に記載の方法。
【請求項９】
データ伝送装置であって、
無線フレームを生成するように構成されたモジュールであって、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1である、モジュールと、
前記無線フレームを送信するように構成されたモジュールと、
を含む装置。
【請求項１０】
前記無線フレームは、ヌル・データ・パケット・アナウンスNDPAフレームであり、
802.11ax標準に準拠しない受信端が前記ステーション情報フィールドを誤って判定することを防止するために、前記ビットB16j+11の前記値が1に設定される、請求項９に記載の装置。
【請求項１１】
各ステーション情報フィールドの前記長さは4 bytesであり、
前記ビットB16j+11の前記値が1に設定されることは、具体的には、前記ステーション情報フィールド内の28番目のビット、ビットB27、の値を1に設定することである、請求項９または１０に記載の装置。
【請求項１２】
802.11ax標準に準拠しない前記受信端が前記ステーション情報フィールド内の３番目と４番目のbytesの最初の12 bitsを誤って判定することを防止するために、前記ビットB27の前記値が1に設定される、請求項１１に記載の装置。
【請求項１３】
無線フレーム受信装置であって、
無線フレームを受信するように構成されたモジュールを含み、前記無線フレームは１つ以上のステーション情報フィールドを含み、各ステーション情報フィールドの長さは2K bytesであり、ここでKは自然数であり、各ステーション情報フィールド内のビットB16j+11の値は1に設定され、ここでj=1, 2, 3, ..., K-1であり、
前記モジュールは、前記無線フレームを解析し、前記ビットB16j+11の前記値に従って処理を実行するように構成された、装置。
【請求項１４】
前記無線フレームは、ヌル・データ・パケット・アナウンスNDPAフレームであり、
802.11ax標準に準拠しない受信端が前記ステーション情報フィールドを誤って判定することを防止するために、前記ビットB16j+11の前記値が1に設定される、請求項１３に記載の装置。
【請求項１５】
各ステーション情報フィールドの前記長さは4 bytesであり、
前記ビットB16j+11の前記値が1に設定されることは、具体的には、前記ステーション情報フィールド内の28番目のビット、ビットB27、の値を1に設定することである、請求項１３または１４に記載の装置。
【請求項１６】
802.11ax標準に準拠しない前記受信端が前記ステーション情報フィールド内の３番目のbyteと４番目のbyteの最初の12 bitsを誤って判定することを防止するために、前記ビットB27の前記値が1に設定される、請求項１５に記載の装置。
【国際調査報告】
2019521562.tif 000015
2019521562.tif 000016
2019521562.tif 000017
2019521562.tif 000018